(57)【特許請求の範囲】
【請求項１】
複数枚の第１の書類が伝票綴じにより綴じられた伝票製本部と、
前記第１の書類に関する記述が記載された複数頁の第２の書類を有する固定部と、を備え、
前記伝票製本部が、伝票製本用糊が付けられた部分を覆う中間紙を有し、
前記中間紙及び前記固定部が無線綴じにより綴じられた冊子体。
【請求項２】
請求項１記載の冊子体において、
前記第１の書類及び前記第２の書類が同一の規格サイズである冊子体。
【請求項３】
請求項２記載の冊子体において、
前記固定部側の前記中間紙の幅が、前記第１の書類の幅よりも短い冊子体。
【請求項４】
請求項３記載の冊子体において、
前記固定部側の前記中間紙に、前記記述が記載されている冊子体。
【請求項５】
請求項１に記載の冊子体の製作方法であって、
紙を２つ折りにして、前記中間紙を形成する工程と、
前記第１の書類を丁合いする工程と、
前記中間紙の折り目の背面側の位置を丁合いされた前記第１の書類の最終頁の端部に合わせて重ねる工程と、
前記中間紙及び前記複数枚の第１の書類の背面に前記伝票製本用糊を塗布する工程と、
前記伝票製本用糊が硬化した後、前記中間紙を折り返し、前記第１の書類の背面側を前記中間紙にて覆う工程と、
前記第２の書類を丁合いし、前記固定部を形成する工程と、
前記第１の書類の背面を覆う前記中間紙と前記固定部とを重ねる工程と、
前記中間紙及び前記固定部の背面部分を無線綴じにより綴じる工程と、を含む冊子体の製作方法。
【発明の詳細な説明】
【技術分野】
【０００１】
本発明は、冊子体及び冊子体の製作方法に関する。
【背景技術】
【０００２】
特許文献1には、本文又は複数の分冊本が表紙から引き離せる分離可能本が記載されている。この分離可能本は、本文又は複数の分冊本を一枚の表紙で巻装した本であって、本文又は複数の分冊本の背中を表紙の該当部分に対してホットメルト系接着剤によって本文の一部若しくは全部又は分冊本の各々を本文又は複数の分冊本側にはホットメルト系接着剤が付き難い状態で引き離し可能に接着したことを特徴としている。
【先行技術文献】
【特許文献】
【０００３】
【特許文献１】特開平９−２２０８８０号公報
【発明の概要】
【発明が解決しようとする課題】
【０００４】
ここで、綴じ込まれた書類が１枚ずつ取り外しできることが好ましい場合があり、従来の冊子体は、用紙にミシン目を入れておき、このミシン目から切り離すことができるように構成されている。
本発明は、ミシン目を使用することなく取り外し可能な書類を綴じ込むことができる冊子体及び冊子体の製作方法を提供することを目的とする。
【課題を解決するための手段】
【０００５】  前記目的に沿う第１の発明に係る冊子体は、複数枚の第１の書類が伝票綴じにより綴じられた伝票製本部と、
前記第１の書類に関する記述が記載された複数頁の第２の書類を有する固定部と、を備え、
前記伝票製本部が、伝票製本用糊が付けられた部分を覆う中間紙を有し、
前記中間紙及び前記固定部が無線綴じにより綴じられている。【０００６】  第１の発明に係る冊子体において、前記第１の書類及び前記第２の書類が同一の規格サイズであってもよい。【０００７】  第１の発明に係る冊子体において、前記固定部側の前記中間紙の幅が、前記第１の書類の幅よりも短くなっていてもよい。【０００８】
第１の発明に係る冊子体において、前記固定部側の前記中間紙に、前記記述が記載されていてもよい。
【０００９】  前記目的に沿う第２の発明に係る冊子体の製作方法は、第１の発明に係る冊子体の製作方法であって、
紙を２つ折りにして、前記中間紙を形成する工程と、
前記第１の書類を丁合いする工程と、
前記中間紙の折り目の背面側の位置を丁合いされた前記第１の書類の最終頁の端部に合わせて重ねる工程と、
前記中間紙及び前記複数枚の第１の書類の背面に前記伝票製本用糊を塗布する工程と、
前記伝票製本用糊が硬化した後、前記中間紙を折り返し、前記第１の書類の背面側を前記中間紙にて覆う工程と、
前記第２の書類を丁合いし、前記固定部を形成する工程と、
前記第１の書類の背面を覆う前記中間紙と前記固定部とを重ねる工程と、
前記中間紙及び前記固定部の背面部分を無線綴じにより綴じる工程と、を含む。
【発明の効果】
【００１０】
本発明によれば、ミシン目を使用することなく取り外し可能な書類を綴じ込むことができる冊子体及び冊子体の製作方法を提供できる。
【図面の簡単な説明】
【００１１】
【図１】本発明の一実施の形態に係る冊子体の斜視図である。
【図２】同冊子体の断面図である。
【図３】同冊子体の部分拡大図である。
【図４】同冊子体の製作方法を示す説明図であって、（ａ）〜（ｅ）は、それぞれ工程Ｓ３、工程Ｓ４、工程Ｓ５（その１）、工程Ｓ５（その２）、工程Ｓ７を示す説明図である。
【発明を実施するための形態】
【００１２】
続いて、添付した図面を参照しつつ、本発明を具体化した実施の形態につき説明し、本発明の理解に供する。なお、図において、説明に関連しない部分は図示を省略する場合がある。また、各図は模式的に描いたものであり、現実の寸法関係を表しているとは限らない。
【００１３】
本発明の一実施の形態に係る冊子体１０は、図１、図２、及び図３に示すように、伝票製本部１２及び固定部１６を備えている。
冊子体１０は、例えば、高校や大学等の入学試験の募集要項等の印刷物であって、学校の案内及び募集要項等を記載した説明用紙１６２と、入学試験の受験者が学校に提出する提出用紙１２２と、を含んでいる。
【００１４】
伝票製本部１２は、例えば複数枚の提出用紙（第１の書類の一例）が伝票綴じにより綴じられて形成されている。各提出用紙１２２の大きさは、例えばＡ４規格サイズである。
提出用紙１２２を具体的に例示すると、入学試験の申込書や調査票等である。
各提出用紙１２２の背面部分は、伝票製本用糊により互いに接着されているので、従来のミシン目を用いた製本とは異なり、規格サイズのまま、一枚ずつ取り外すことができる。
ここで、伝票綴じとは、一般に、例えば伝票やレポート用紙、メモ帳など、用紙を１枚ずつ取り外して使用できるようにした綴じ方をいう。
【００１５】
伝票製本部１２は、中間紙１４を有している。中間紙１４は、伝票製本部１２の伝票製本用糊付け部分１３０を覆う用紙である。
中間紙１４は、折り曲げられて形成される、伝票綴じ表紙部１４２ａ及び伝票綴じ裏表紙部１４２ｂを有している。
伝票綴じ表紙部１４２ａ及び伝票綴じ裏表紙部１４２ｂは、提出用紙１２２を挟み、それぞれ、冊子体１０の表紙１０２ａの側及び裏表紙１０２ｂの側に位置している。
なお、中間紙１４の伝票綴じ表紙部１４２ａ及び伝票綴じ裏表紙部１４２ｂの幅Ｌ１（図２参照）は、それぞれ提出用紙の幅よりも短くなっている。
【００１６】
固定部１６は、複数頁の説明用紙（第２の書類の一例）１６２を有している。
説明用紙には、提出用紙１２２に関する記載要領等の説明（第１の書類に関する記述の一例）が記載されている。
固定部１６と伝票製本部１２とは、無線綴じにより綴じられている。詳細には、固定部１６と伝票製本部１２と背表紙１０２ｃが無線綴じ糊付け部分１３１により接着されている。なお、表紙１０２ａ、背表紙１０２ｃ及び裏表紙１０２ｂは、一体の用紙にて形成されている。
中間紙１４の伝票綴じ表紙部１４２ａの幅Ｌ１を提出用紙の幅とし、前述の提出用紙１２２に関する記載要領等の説明が、固定部１６に続いて、中間紙１４に記載されていてもよい。
【００１７】
受験希望者は、冊子体１０の提出用紙１２２を取り外して所定の事項を記入し、学校に返送する。学校は、返送された提出用紙１２２を例えばＡ４規格サイズのまま、ファイル等に綴じ込んで保管できる。すなわち、提出用紙１２２が規格サイズであるため、管理や取扱いが容易となる。
【００１８】
次に、図４（ａ）〜（ｅ）を参照して、冊子体１０の製作方法について説明する。
【００１９】
（工程Ｓ１）
中間紙１４となる紙を準備する。紙の総幅は、丁合いする提出用紙１２２の厚みに少なくとも例えば、１３０〜１９０ｍｍを加えた大きさであることが好ましい。少なくとも例えば、１３０〜１９０ｍｍである理由は、後の工程S４にて伝票用糊を均一に塗布することが容易となるからである。
準備した紙を２つ折りにして中間紙１４を形成する。この中間紙１４は、折り目で分けられた伝票綴じ表紙部１４２ａ及び伝票綴じ裏表紙部１４２ｂを有している。
【００２０】
（工程Ｓ２）
提出用紙１２２を丁合いする。
【００２１】
（工程Ｓ３）    
中間紙１４の折り目の背面側の位置を丁合いされた提出用紙１２２の最終頁の端部に合わせて重ねる（図４（ａ）参照）。
【００２２】
（工程Ｓ４）
工程Ｓ３にて重ねあわされた中間紙１４及び丁合された提出用紙１２２の背面に伝票製本用の糊を塗布する。伝票製本用糊が硬化すると、伝票製本用糊付け部分１３０が形成され、隣り合う提出用紙１２２が互いに接着されるとともに、提出用紙１２２の最終頁と中間紙１４とが接着される（図４（ｂ）参照）。
【００２３】
（工程Ｓ５）
伝票製本用糊が乾燥し、硬化した後、２つ折りにした中間紙１４を反対側に折り返し、提出用紙１２２の背面側を中間紙１４にて覆う（図４（ｃ）参照）。
提出用紙１２２が中間紙１４にて覆われることにより、伝票製本部１２が形成される（図４（ｄ）参照）。
このように形成された伝票製本部１２は、工程Ｓ４にて、中間紙１４が提出用紙１２２の最終頁（冊子体の裏表紙側）に接着されているので、提出用紙１２２を冊子体１０の表紙１０２ａの側から取り外すことができる。
【００２４】
（工程Ｓ６）
説明用紙１６２を丁合いし、固定部１６を形成する。
【００２５】
（工程Ｓ７）
提出用紙１２２の背面を覆う中間紙１４と固定部１６とを重ねる（図４（ｅ）参照）。
【００２６】
（工程Ｓ８）
伝票製本部１２の中間紙１４と固定部１６の背面部分を無線綴じにより綴じる。
【００２７】
冊子体１０は、以上の工程Ｓ１〜Ｓ８を経て製作される（図２参照）。
以上説明した冊子体１０によれば、ミシン目を使用することなく、規格サイズのまま提出用紙１２２を取り外すことができる。
また、中間紙１４の伝票綴じ表紙部１４２ａ及び伝票綴じ裏表紙部１４２ｂの幅Ｌ１が、提出用紙１２２の幅よりも短くなっている場合には、説明用紙１６２と提出用紙１２２との境界が明確となる。
【００２８】
以上、本発明の実施の形態を説明したが、本発明は、上記した形態に限定されるものでなく、要旨を逸脱しない条件の変更等は全て本発明の適用範囲である。
説明用紙及び提出用紙のサイズは、Ａ４サイズに限定されるものでなく、任意のサイズであってもよい。
冊子体は右綴じであっても左綴じであってもよい。
提出用紙には、ファイリングが容易となるように、予めファイリング用の孔（例えば、８０ｍｍピッチ孔）があけられていてもよい。
【符号の説明】
【００２９】
１０  冊子体
１２  伝票製本部
１４  中間紙
１６  固定部
１０２ａ  表紙
１０２ｂ  裏表紙
１０２ｃ  背表紙
１２２  提出用紙
１３０  伝票製本用糊付け部分  
１３１  無線綴じ用糊付け部分
１４２ａ  伝票綴じ表紙部
１４２ｂ  伝票綴じ裏表紙部
１６２  説明用紙
【要約】
【課題】ミシン目を使用することなく取り外し可能な書類を綴じ込むことができる冊子体及び冊子体の製作方法を提供する。
【解決手段】冊子体１０は、複数枚の第１の書類１２２が伝票綴じにより綴じられた伝票製本部１２と、第１の書類１２２に関する記述が記載された複数頁の第２の書類１６２を有する固定部１６と、を備え、伝票製本部１２及び固定部１６が無線綴じにより綴じられている。本発明の技術で製本することにより、伝票製本部１２の書類は、一枚ずつ取り外すことが出来る。
【選択図】図１【図１】
0005945658.tif 000002
【図２】
0005945658.tif 000003
【図３】
0005945658.tif 000004
【図４】
0005945658.tif 000005